(57)【特許請求の範囲】
【請求項１】
番組編成時刻に基づき、フレーム構造の番組情報信号をエンコーダにて圧縮符号化したデジタル放送信号を送出するデジタル放送信号送信装置において、
前記エンコーダによる圧縮符号化前に、前記番組情報信号のフレーム中の所定の帰線期間に、番組内容を受信機で正しく再生させるべく前記番組情報信号の画面アスペクト比、モノラル、ステレオの少なくとも１つを表す番組モード情報、及び少なくとも前記エンコーダの制御に必要な制御情報を含む多重情報を挿入し、この多重情報に基づいて前記番組情報信号を前記エンコーダにて圧縮符号化して前記デジタル放送信号を生成することを特徴とするデジタル放送信号送信装置。
【請求項２】
前記圧縮符号化前において、フレーム中に前記多重情報が挿入された番組情報信号を処理する信号処理手段と、
この信号処理手段の前段もしくは後段に設けられ、前記信号処理手段の入力信号もしくは出力信号から前記多重情報を取り込み解析し、この解析結果に基づき前記信号処理手段の動作状態、信号系統の動作状態及び前記番組情報信号の内容のうち少なくとも一方を監視する監視手段とをさらに備えることを特徴とする請求項１記載のデジタル放送信号送信装置。
【請求項３】
番組編成時刻に基づき、フレーム構造の番組情報信号をエンコーダにて圧縮符号化した第１のデジタル放送信号を第１の放送サービスエリア内に送出する第１の送信局と、この第１の送信局と中継回線を介して接続され、前記第１の送信局から中継回線を介して送出された第１のデジタル放送信号を受信しスイッチャーにて前記第１のデジタル放送信号とは放送番組が異なる第２のデジタル放送信号と選択的に切り替えて、前記第１の放送サービスエリアとは異なる第２の放送サービスエリア内に送出する第２の送信局とを備えたデジタル放送番組中継送出システムにおいて、
前記第１の送信局では、前記エンコーダによる圧縮符号化前に、前記番組情報信号のフレーム中の所定の帰線期間に、番組内容を受信機で正しく再生させるべく前記番組情報信号の画面アスペクト比、モノラル、ステレオの少なくとも１つを表す番組モード情報、及び少なくとも前記エンコーダの制御及び前記第２の送信局にて前記第１のデジタル放送信号と前記第２のデジタル放送信号とを切り替えるべく前記スイッチャーの制御に必要な制御情報を含む多重情報を挿入し、この多重情報に基づいて前記番組情報信号を前記エンコーダにて圧縮符号化して前記第１のデジタル放送信号を生成するようにしておき、
前記第２の送信局は、受信した第１のデジタル放送信号のフレーム中の帰線期間に前記多重情報が挿入されていた場合に、前記多重情報に基づいて前記スイッチャーを制御することを特徴とするデジタル放送番組中継送出システム。
【請求項４】
前記第２の送信局の前記スイッチャーの前段もしくは後段に設けられ、前記スイッチャーの入力信号もしくは出力信号から前記多重情報を取り込み解析し、この解析結果に基づき前記スイッチャーの動作状態、信号系統の動作状態及び前記第１のデジタル放送信号の内容のうち少なくとも１つを監視する監視手段とをさらに備えることを特徴とする請求項３記載のデジタル放送番組中継送出システム。
【請求項５】
前記監視手段により検出される前記スイッチャーの動作状態、信号系統の動作状態及び前記第１のデジタル放送信号の内容のうち少なくとも１つに基づいて、前記スイッチャーを制御する制御手段をさらに備えることを特徴とする請求項３記載のデジタル放送番組中継送出システム。
【請求項６】
前記第１の送信局は、フレーム中に前記多重情報が挿入された番組情報信号を前記デジタル放送信号とは別の中継回線を介して前記第２の送信局に送信する送信手段を備え、
前記第２の送信局は、前記第１の送信局から送信された番組情報信号を受信する受信手段と、この受信手段により受信された番組情報信号のフレーム中の帰線期間に前記多重情報が挿入されていた場合に、前記多重情報の内容に応じて前記番組情報信号に信号処理を加える信号処理手段とを備えることを特徴とする請求項３記載のデジタル放送番組中継送出システム。
【発明の詳細な説明】
【０００１】
【発明の属する技術分野】
この発明は、デジタル放送の放送局で使用されるデジタル放送信号送信装置、及び例えばネット受信放送として使用されるデジタル放送番組中継送出システムに関する。
【０００２】
【従来の技術】
近年、デジタル放送送出設備においては、ＭＰＥＧ２(Moving Picture Experts Group 2)で規格されている符号化方式による映像信号、音声信号及びデータ信号の圧縮符号化、この圧縮符号化されたビットストリームの切り替え、同期化、多重化などの信号処理を施すスタジオ機器が必要不可欠である。これら圧縮符号化、切り替え、同期化、多重化などの信号処理は、ＡＰＣ（自動番組送出制御装置）やＳＣＳ（多重化制御装置）からの制御の下に行われることになる。
【０００３】
ところで、上記デジタル放送においては、１１２５ライン方式の高精細テレビジョン放送と、複数チャンネルのＮＴＳＣ方式のテレビジョン放送との混在放送が行われることになる。この場合、画面アスペクト比が４：３フル画面、１６：９フル画面、あるいは１６：９レターボックス画面などいくつかの画面アスペクトモードで放送されることになる。このため、デジタル放送送出設備では、これらのアスペクトモードが異なる放送信号を受信機で正しく再生表示させるために、このアスペクトモードを示す制御情報を、ＭＰＥＧ２符号化時のエレメンタリーストリームのシーケンスヘッダ部に映像フレーム単位で正確に挿入して送出する必要がある。また、デジタル放送においては、音声についてもモノラルから５．１ｃｈステレオまでの多数のモードで放送されることになる。このため、音声についても、モード切替時に受信デコーダの切替タイミングに違和感を生じない精度が要求される。
【０００４】
一方、デジタル放送では、従来のアナログ放送で実施されていた中継回線伝送による各地遠隔局のネット受信放送についても考慮がなされている。従来のアナログ放送におけるネット受信放送では、ＡＰＣから送出されるネット局制御信号をアナログ映像信号の垂直帰線期間に多重し、アナログ映像信号のまま中継回線で伝送する方法が採られている。
【０００５】
しかし、デジタル放送では、ネット受信放送を実施する場合に、遠隔局におけるローカル番組、コマーシャルの差し替えやローカルスーパーの挿入などでＭＰＥＧ２伝送の関係から、アナログ放送よりも緻密かつ正確な処理が要求される。この要求に対し、ＡＰＣでは、局内の各スタジオ機器の制御を基本的に秒単位で行なっており、精度を上げたとしても映像・音声のモードに対応した制御を行なうことは不可能である。このため、制御時間誤差が一定以上に至った場合に、信号切り替えの繋ぎ目に一瞬不要な画面が見える、いわゆる「ちら見え」の現象が発生することがある。今後、デジタル放送では、これらが格段に重要な課題とされることは明らかである。
【０００６】
また、デジタル放送においても、各スタジオ機器の動作状態のモニタリング（監視）作業や放送すべき番組情報信号のモニタリング作業が必要不可欠となり、多チャンネル化に伴い、モニタリング作業が著しく煩雑化するようになってくる。このため、モニタリング作業の軽減が強く望まれている。
【０００７】
【発明が解決しようとする課題】
以上のようにデジタル放送においては、受信機側で種々の番組モードの放送内容が正しく再生されるように、放送局側で各番組モードを再生させるために必要な制御情報をＭＰＥＧ２符号化時のエレメンタリーストリームのシーケンスヘッダ部に映像フレーム単位で正確に挿入して送出する必要があるため、局内の各スタジオ機器の制御、構成が複雑になる。
【０００８】
また、ネット受信放送を実施する場合に、遠隔放送局におけるローカル番組、コマーシャルの差し替えやローカルスーパーの挿入といった信号処理に対しても、従来のアナログ放送の技術だけでは不十分である。
【０００９】
さらに、各スタジオ機器の動作状態のモニタリング（監視）作業や放送すべき番組情報信号のモニタリング作業を行なう場合に、多チャンネル化するとモニタリング作業が著しく煩雑化することになる。
【００１０】
この発明の第１の目的は、簡素な設備で、種々の番組モードに応じて受信機側で編成時刻に放送内容が正しく再生されるように、送出すべきデジタル放送信号を処理することが可能なデジタル放送番組送出装置を提供することにある。
【００１１】
この発明の第２の目的は、ネット受信放送を実施する場合に、遠隔放送局において、簡易な構成で、送出すべきデジタル放送信号を効果的に処理し得るデジタル放送番組中継送出システムを提供することにある。
【００１２】
【課題を解決するための手段】
この発明に係るデジタル放送番組送出装置は、番組編成時刻に基づき、フレーム構造の番組情報信号を圧縮符号化したデジタル放送信号を送出するデジタル放送信号送信装置において、圧縮符号化前に、番組情報信号のフレーム中の所定の帰線期間に少なくとも番組モードを表す情報及び番組情報信号の信号処理に必要な制御情報を含む多重情報を挿入し、この多重情報に基づいて番組情報信号を圧縮符号化してデジタル放送信号を生成することを特徴とする。
【００１３】
すなわちこの第１の発明では、受信機側で番組モードに応じた放送内容が編成時刻に正しく再生されるように、送出するデジタル放送信号に番組モードを指定する情報を挿入して送出する必要がある。このとき、圧縮符号化時にデジタル放送信号のシーケンスヘッダ部に番組モードを指定する情報を挿入する場合に、放送内容に合致した番組モードを指定した情報を正確に挿入する必要があるため、その分複雑な処理が要求されることになる。そこで、圧縮符号化前に、番組情報信号の内容を確認し、この内容に応じた番組モードを示す情報を番組情報信号のフレーム中の既存の帰線期間つまりデータが存在しない期間に挿入しておくことで、受信機側ではフレーム中の帰線期間に挿入された番組モードを示す情報を抽出することで、この番組モードに応じた放送内容を正しく再生できるようにしている。
【００１４】
従ってこの第１の発明によれば、フレーム中の既存の帰線期間を利用するといった簡単な処理により受信機に対し番組モードに応じた放送内容を正しく再生させることができるので、スタジオ機器の制御の簡略化を図ることが可能となる。また、番組情報信号のフレーム中の帰線期間に番組切替情報及び符号化制御情報を挿入しておくようにすれば、スイッチャー及び符号化部の制御のための信号ラインを省略することができ、装置全体の簡素化をさらに図ることができる。
【００１５】
また、この第１の発明において、圧縮符号化前において、フレーム中に制御情報が挿入された番組情報信号を処理する信号処理手段を備える場合に、この信号処理手段の前段もしくは後段に設けられ、信号処理手段の入力信号もしくは出力信号から多重情報を取り込み解析し、この解析結果に基づき信号処理手段の動作状態、信号系統の動作状態及び番組情報信号の内容のうち少なくとも１つを監視する監視手段とをさらに備えることを特徴とする。
【００１６】
この構成によれば、信号処理手段の入力信号もしくは出力信号から多重情報を取り込み解析し、この解析結果に基づき信号処理手段及び信号系統に異常発生と判断した場合や番組情報内容が編成内容に合致していない場合に警報を発するようにすれば、信号処理手段の故障もしくは信号系統の故障等を素早く管理者に通知することができる。
【００１７】
この第２の発明に係るデジタル放送番組中継送出システムは、番組編成時刻に基づき、フレーム構造の番組情報信号を圧縮符号化したデジタル放送信号を第１の放送サービスエリア内に送出する第１の送信局と、この第１の送信局と中継回線を介して接続され、前記第１の送信局から中継回線を介して送出されたデジタル放送信号を受信して信号処理を加えた後、前記第１の放送サービスエリアとは異なる第２の放送サービスエリア内に送出する第２の送信局とを備えたデジタル放送番組中継送出システムにおいて、第１の送信局では、圧縮符号化前に、番組情報信号のフレーム中の所定の帰線期間に少なくとも番組モードを表す情報及び当該番組情報信号の信号処理に必要な制御情報を含む多重情報を挿入し、この多重情報に基づいて番組情報信号を圧縮符号化してデジタル放送信号を生成するようにしておき、第２の送信局は、受信したデジタル放送信号のフレーム中の帰線期間に多重情報が挿入されていた場合に、多重情報の内容に応じてデジタル放送信号に信号処理を加える第１の信号処理手段を備えることを特徴とする。
【００１８】
すなわちこの第２の発明では、例えば東京の第１の送信局で放送されるデジタル放送番組を、例えば他県に配置された第２の送信局で放送する場合に、第１の送信局から送出されるデジタル放送信号が中継回線を介して第２の送信局に伝送されることになり、符号化圧縮による信号遅延、遅延量の変化、シームレス切り替えのための符号化パラメータの管理などのために、緻密かつ正確な処理が要求されることになる。そこで、この要求を満たすために、第１の送信局側で圧縮符号化前の番組情報信号のフレーム毎の帰線期間に第２の送信局における信号処理に必要な制御情報を挿入しておくようにし、第２の送信局にて受信したデジタル放送信号のフレーム中の帰線期間に制御情報が挿入されている場合に、その制御情報の内容に応じて送信すべきデジタル放送信号に信号処理を加えるようにしている。
【００１９】
従って第２の発明によれば、第２の送信局において、ローカル番組の差し替え等をデジタル放送信号のフレーム中の既存の帰線期間に挿入された制御情報を利用して効率良く行なうことができる。また、デジタル放送信号のフレーム中の既存の帰線期間に挿入された制御情報を利用するのみの構成であるため、緻密かつ正確な処理を実現するために装置構成が複雑とならずに済む。
【００２０】
また、第２の発明において、第２の送信局の第１の信号処理手段の前段もしくは後段に設けられ、第１の信号処理手段の入力信号もしくは出力信号から多重情報を取り込み解析し、この解析結果に基づき信号処理手段の動作状態、信号系統の動作状態及びデジタル放送信号の内容のうち少なくとも１つを監視する監視手段と、監視手段により検出される信号処理手段の動作状態、信号系統の動作状態及びデジタル放送信号の内容のうち少なくとも１つに基づいて、第１の信号処理手段の信号処理を制御する信号処理制御手段をさらに備えることを特徴とする。
【００２１】
この構成によれば、第２の送信局において、第１の信号処理手段の入力信号もしくは出力信号から多重情報を取り込み解析し、この解析結果に基づき異常発生と判断した場合に警報を発するようにすれば、信号処理手段の故障もしくは信号系統の故障等を素早く管理者に通知することができる。また、異常発生と判断した場合に、信号処理手段に対するデジタル放送信号の信号処理を停止することもできる。また、監視手段によりデジタル放送信号のフレーム中に挿入されている多重情報を取り込み解析し、この解析結果に基づいて信号処理制御手段により第１の信号処理手段を制御するようにすれば、第１の信号処理手段を簡単な構成とすることができる。
【００２２】
【発明の実施の形態】
以下、この発明の各実施形態について図面を参照して詳細に説明する。
【００２３】
（第１の実施形態）
図１はこの発明の第１の実施形態に係るデジタル放送局の構成を示すブロック図である。
【００２４】
このデジタル放送局は、同図に示すように、大別すると、フレーム構造の番組情報信号を選択的に出力するスイッチャー（ＳＷ）１１と、このスイッチャー１１から出力される番組情報信号をＭＰＥＧ２符号化方式に基づく可変長圧縮符号化を施し、ＭＰＥＧ２トランスポートストリーム（ＴＳ）パケットに変換するエンコーダ（ＥＮＣ）１２と、このエンコーダ１２の出力ＴＳパケットに各種制御データをパケット多重するマルチプレクサ（ＭＵＸ）１３とを備える。
【００２５】
ところで、この実施形態では、スイッチャー１１とエンコーダ１２との間にデータ挿入部１４が介在されている。また、スイッチャー１１のｎ個の入力系統にも、それぞれデータ挿入部１５１〜１５ｎが設けられている。さらに、制御系として番組編成データを蓄積するデータサーバ（ＤＳ）１６と、このデータサーバ１６に蓄積された番組編成データに基づいて番組情報信号の信号処理に必要な放送制御情報をデータ挿入部１４に与える自動番組切替制御装置（ＡＰＣ）１７とを備えている。
【００２６】
ｎ個のデータ挿入部１５１〜１５ｎは、図２に示すようなフォーマットの番組モード情報を、番組情報信号のフレーム中の垂直帰線期間（図３参照）に挿入する。なお、番組モード情報には、パケットヘッダ及び誤り訂正符号が付加される。ペイロードには、素材コード、映像モード／アスペクト、音声モード等が存在する。
【００２７】
データ挿入部１４は、自動番組切替制御装置１７から与えられる放送制御情報を、スイッチャー１１から出力される番組情報信号のフレーム中の垂直帰線期間に挿入する。
【００２８】
また、この実施形態では、スイッチャー１１から出力される番組情報信号中の垂直帰線期間に挿入された情報を取り込み解析し、この解析結果に基づいてスイッチャー１１の動作状態、信号系統の動作状態及び番組情報内容のうちの少なくとも１つを監視する監視回路１８を設けている。さらに、各データ挿入部１５１〜１５ｎから出力される番組情報信号中の垂直帰線期間に挿入された情報を取り込み解析し、この解析結果に基づいて各データ挿入部１５１〜１５ｎの動作状態、信号系統の動作状態及び番組情報内容のうちの少なくとも１つを監視する監視回路１９１〜１９ｎを設けている。
【００２９】
また、このデジタル放送局には、マルチプレクサ１３から出力されるＴＳ信号をデジタル中継回線を介して地方の遠隔放送局に送出するための出力端子２０と、データ挿入部１４から出力されるベースバンド形式の番組情報信号をアナログ中継回線を介して遠隔放送局に送出するための出力端子２１とが設けられている。
【００３０】
上記構成において、以下にその処理動作を説明する。
デジタル放送局では、最終段階において送出すべき番組情報信号に対しＭＰＥＧ２による圧縮符号化を施して送出する。ここで、例えば映像信号にはＳＭＰＴＥ２５９Ｍ規格（ＳＤＩ）またはＳＭＰＴＥ２９２Ｍ規格（ＨＤ−ＳＤＩ）に基づくデジタル映像伝送規格を用い、音声信号にはＡＥＳ／ＥＢＵ規格に基づくデジタル音声伝送規格を用い、またデータ信号にはＳＭＰＴＥ２９１規格等を用いる。また、デジタル放送局では、番組内容を受信機で正しく再生させるために、画面アスペクト比や音声がモノラルであるかステレオであるかを表す番組モード情報を符号化して伝送する必要がある。これらの情報は、ＭＰＥＧ２符号化規格（ＩＳＯ／ＩＥＣ１３８１８−２）におけるエレメンタリーストリームのシーケンスヘッダ部に挿入され放送される。ただしこの場合、番組モード情報の挿入位置は、圧縮符号化された番組内容と正確に一致する必要がある。この挿入位置がずれた場合、受信機において映像や音声の再生内容と表示モード制御との間で時間的ミスマッチが生じ、視聴者に不快感を与える可能性が生じる。
【００３１】
そこで、この実施形態では、データ挿入部１５１〜１５ｎにて圧縮符号化を行なう以前の番組情報信号の垂直帰線期間に、番組モード情報を各フレーム画像に正確に対応した時間的位置に配置し、この情報に基づいて後段のエンコーダ１２において映像、音声及びデータ等に対し圧縮符号化を行なう。これにより、受信機では再生される番組内容と表示制御とがミスマッチを起こすことなく、円滑にデジタル放送番組を再生することが可能になる。
【００３２】
また、デジタル放送におけるサービスの１つに、多チャンネルサービスがあり、局内では多数の放送番組を同時に扱うために、その番組情報信号が予定の番組編成に合った正しい番組情報信号であるかどうかのモニタリング作業が著しく煩雑化するようになってくる。
【００３３】
そこで、この実施形態では、番組モード情報あるいは放送制御情報などの多重情報を監視回路１８、１９１〜１９ｎで検出することにより、信号系統の動作状態や番組情報内容が編成内容と合致しているか否かを監視することができる。
【００３４】
以上述べたように第１の実施形態では、受信機側で番組モードに応じた番組内容が編成時刻に正しく再生されるように、圧縮符号化前に、各データ挿入部１５１〜１５ｎにて番組情報信号の内容を確認し、この内容に応じた番組モード情報をフレーム中の垂直帰線期間つまりデータが存在しない期間に挿入しておくようにし、以後エンコーダ１２により送出すべき番組情報信号に対し圧縮符号化を施すようにしている。これにより、受信機側ではフレーム中の垂直帰線期間に挿入された番組モード情報を抽出することで、この番組モードに応じた放送内容を正しく再生できるようになる。
【００３５】
従って、フレーム中の垂直帰線期間を利用するといった簡単な処理により受信機に対し番組モードに応じた放送内容を正しく再生させることができるので、デジタル放送局内の各スタジオ機器の制御の簡略化を図ることが可能となる。
【００３６】
また、この第１の実施形態によれば、データ挿入部１４にて番組情報信号のフレーム中の垂直帰線期間に放送制御情報を挿入しているので、スイッチャー１１及びエンコーダ１２の制御のための信号ラインを省略することができ、装置全体の簡素化をさらに図ることができる。
【００３７】
さらに、この第１の実施形態では、データ挿入部１４を設けた信号系統に監視回路１８を設け、データ挿入部１５１〜１５ｎを設けた信号系統それぞれに監視回路１９１〜１９ｎを設けておくことにより、各信号系統の動作状態を監視することができ、異常発生と判断した場合に警報を発するようにすれば、信号系統の故障等を素早く管理者に通知することができる。また、放送すべき番組内容が番組編成通りであるか否かも管理者に素早く認識させることもできる。
【００３８】
（第２の実施形態）
図４は、この発明の第２の実施形態に係るデジタル放送システムにおいて、地方に配置された遠隔放送局の構成を示すブロック図である。
【００３９】
この遠隔放送局は、同図に示すように、送出元となる例えば東京の放送局からデジタル中継回線を介して受信したＴＳ信号を選択的に出力するスイッチャー３１と、このスイッチャー３１の出力と各種信号とを多重するマルチプレクサ３２とを備える。なお、デジタル中継回線としてはケーブル等が挙げられる。
【００４０】
スイッチャー３１には、ローカル番組に関するＴＳ信号が入力される。このＴＳ信号は、データ挿入部３３でベースバンド形式の番組情報信号のフレーム中の垂直帰線期間に番組モード情報が挿入され、エンコーダ（ＥＮＣ）３４でデータ挿入部３３の出力にＭＰＥＧ２符号化方式に基づく可変長圧縮符号化を施された信号である。
【００４１】
また、マルチプレクサ３２には、送出元となる例えば東京の放送局からアナログ中継回線を介して受信した信号が入力される。この信号は、アナログ中継回線から入力端子３５を介して入力した番組情報信号に対しエンコーダ（ＥＮＣ）３６でＭＰＥＧ２符号化方式に基づく可変長圧縮符号化を施されたＴＳ信号である。
【００４２】
この第２の実施形態では、スイッチャー３１の入力系統において、デジタル中継回線から入力端子４０を介して受信したＴＳ信号から垂直帰線期間に挿入された制御情報を取り込み解析し、この解析結果に基づき信号系統の動作状態を監視する監視回路３７と、この監視回路３７による監視結果に基づきスイッチャー３１を切替制御する切替制御部３８とを備えている。さらに、スイッチャー３１の出力から垂直帰線期間に挿入された制御情報を取り込み解析し、この解析結果に基づきスイッチャー３１の動作状態やＴＳ信号の内容が正確であるかを監視する監視回路３７も備えている。
【００４３】
上記構成において、以下にその処理動作を説明する。
遠隔放送局では、地方独自のローカル番組を放送する場合に、ローカル番組やコマーシャルの差し替え、ローカルスーパーの挿入などが行われる。しかしながら、ＭＰＥＧ２符号化によるＴＳ伝送を行なう場合に、ＭＰＥＧ２圧縮による信号遅延、遅延量の変化、シームレス切り替えのための符号化パラメータの管理等が必要となり、緻密かつ正確な処理が要求される。
【００４４】
そこで、この第２の実施形態では、番組モード情報あるいは放送制御情報を送出元となる例えば東京の放送局にてベースバンド形式の番組情報信号の垂直帰線期間に挿入して符号化圧縮を施すようにし、遠隔放送局にて送出元の放送局から送出されたＴＳ信号をデジタル中継回線を介して受信し、この受信信号中に含まれる番組モード情報あるいは放送制御情報を監視回路３７で抽出し、この抽出した番組モード情報あるいは放送制御情報に基づき切替制御部３８の制御の下、スイッチャー３１にてローカル番組の差し替え等を行なう。これにより切替前の信号と切替後の信号が綺麗につながり、「ちら見え」といった情報乱れを生じさせることなくＴＳ信号を送出されるようになる。
【００４５】
また、この第２の実施形態では、送出元の放送局で信号処理に必要な制御情報を符号化して送出する以外に、送出元の放送局にてベースバンド形式の番組情報信号に上記制御情報を挿入して、そのまま地方の放送局に送出する場合もある。この場合、番組情報信号の垂直帰線期間に挿入された番組モード情報あるいは放送制御情報などの多重情報が、回線事業者の伝送システム内で正しく保存される限り、地方の放送局において番組情報信号を受信し、この受信信号に重畳されている多重情報によりエンコーダ３６及びマルチプレクサ３２の信号処理のための制御を行なうことができる。
【００４６】
以上のように上記第２の実施形態では、例えば東京の放送局で放送されるデジタル放送番組を、例えば他県に配置された遠隔放送局で放送する場合に、東京の放送局側で圧縮符号化前の番組情報信号のフレーム毎の垂直帰線期間に番組モード情報もしくは放送制御情報といった多重情報を挿入しておくようにし、遠隔放送局にて受信したＴＳ信号のフレーム毎の垂直帰線期間に多重情報が挿入されている場合に、監視回路３７で多重情報を抽出し、この多重情報の内容に応じて切替制御部３８により切替前の信号と切替後の信号が綺麗につながるようにスイッチャー３１の切替制御が行なわれる。
【００４７】
従って、遠隔放送局において、ローカル番組の差し替え等をＴＳ信号のフレーム毎の垂直帰線期間に挿入された多重情報を利用して効率良く行なうことができる。また、ＴＳ信号のフレーム中の垂直帰線期間に挿入された多重情報を利用するのみの構成であるため、緻密かつ正確な処理を実現するためにスイッチャー３１の構成及びマルチプレクサ３２の構成が複雑とならずに済む。
【００４８】
また、この第２の実施形態では、監視回路３７、３９で異常発生と判断した場合に警報を発するようにすれば、信号系統の故障等を素早く管理者に通知することができる。また、異常発生と判断した場合に、切替制御部３８の制御処理を停止することもできる。
【００４９】
なお、第２の実施形態では、切替制御部３８によりスイッチャー３１を切替制御する例について説明したが、スイッチャー３１内で入力されるＴＳ信号に多重情報が挿入されている場合に、この多重情報の内容に応じて入力端子４０の出力からエンコーダ３４の出力へ切り替えるようにしてもよい。
【００５０】
また、マルチプレクサ３２の制御についても、エンコーダ３６の出力の垂直帰線期間に挿入されている多重情報を利用すれば、スイッチャー３１の出力に対する信頼性を保証することもできる。さらに、エンコーダ３６を設けた信号系統についても、この信号系統の動作状態を監視する監視回路を設けるようにしてもよい。
【００５１】
（その他の実施形態）
なお、この発明は上記各実施形態に限定されるものではない。上記各実施形態では、ベースバンド形式の番組情報信号の垂直帰線期間に挿入された多重情報を利用してエンコーダ及びスイッチャー、マルチプレクサを制御する例について説明したが、エンコーダ及びスイッチャー、マルチプレクサ以外の信号処理器に対しても有効である。
【００５２】
また、番組情報信号のフレーム中の水平帰線期間に多重情報を挿入しておくようにしてもよい。
【００５３】
その他、システム構成、放送局内の構成、多重情報の種類、中継回線の種類等についても、この発明の要旨を逸脱しない範囲で種々変形して実施できる。
【００５４】
【発明の効果】
以上詳述したように第１の発明によれば、簡素の設備で、種々の番組モードに応じて受信機側で編成時刻に放送内容が正しく再生されるように、送出すべきデジタル放送信号を処理することが可能なデジタル放送信号送信装置を提供することができる。
【００５５】
また、第２の発明によれば、ネット受信放送を実施する場合に、遠隔放送局において、簡易な構成で、送出すべきデジタル放送信号を効果的に処理し得るデジタル放送番組中継送出システムを提供することができる。
【図面の簡単な説明】
【図１】この発明の第１の実施形態に係るデジタル放送局の構成を示すブロック図。
【図２】この第１の実施形態で取り扱う番組モード情報及び放送制御情報のフォーマットの一例を示す図。
【図３】この第１の実施形態で取り扱う番組モード情報及び放送制御情報の挿入位置を示す図。
【図４】この発明の第２の実施形態に係るデジタル放送システムの遠隔放送局の構成を示すブロック図。
【符号の説明】
１１、３１…スイッチャー（ＳＷ）、
１２、３４、３６…エンコーダ（ＥＮＣ）、
１３、３２…マルチプレクサ（ＭＵＸ）、
１４、１５１〜１５ｎ、３３…データ挿入部、
１６…データサーバ（ＤＳ）、
１７…自動番組切替制御装置（ＡＰＣ）、
１８、１９１〜１９ｎ…監視回路、
２０，２１…出力端子
３７…切替制御部、
３５、４０…入力端子。
【図１】
0004322436.tif 000002
【図２】
0004322436.tif 000003
【図３】
0004322436.tif 000004
【図４】
0004322436.tif 000005